(57)【要約】【課題】複数の配信先に配信された個人情報の全てを、一括して確実に削除する。【解決手段】削除申請取得部２５１は、申請者の生体情報を取得し、類似度計算部２５３ｂは、取得された前記申請者の生体情報より抽出される特徴量と、登録遊技者DB２６２に蓄積された登録者の生体情報より抽出される特徴量とを用いて、前記申請者の生体情報の類似度を計算し、類似度判定部２５３ｃは、申請者の生体情報の類似度と所定の閾値とを比較し、照合部２５３により、比較結果に基づいて、申請者が登録者であると判定された場合、削除依頼送信部２５５は、配信先の情報に基づいて、配信先に対して、申請者に対応する登録者の登録情報の削除指示を送信する。本発明は、監視システムに適用することができる。【選択図】図７
2008040829.tif 000002
【特許請求の範囲】
【請求項１】
予め登録された登録者の登録情報を蓄積する蓄積手段と、
前記蓄積手段に蓄積された登録者の登録情報を配信する配信手段と、
前記配信手段による前記蓄積手段に蓄積された登録者の登録情報の配信先の情報を格納する格納手段と、
申請者の生体情報を取得する取得手段と、
前記取得手段により取得された前記申請者の生体情報より抽出される特徴量と、前記蓄積手段に蓄積された登録者の生体情報より抽出される特徴量とを用いて、前記申請者の生体情報の類似度を計算する計算手段と、
前記申請者の生体情報の類似度と所定の閾値とを比較し、比較結果に基づいて、前記申請者が前記登録者であるか否かを判定する申請者真偽判定手段と、
前記申請者真偽判定手段により前記申請者が前記登録者であると判定された場合、前記格納手段に格納されている配信先の情報に基づいて、前記配信先に対して、前記申請者に対応する前記登録者の登録情報の削除指示を送信する送信手段と
を含む情報処理装置。
【請求項２】
画像を撮像する撮像手段と、
前記撮像手段により撮像された画像より、前記申請者の顔画像を抽出する顔画像抽出手段と、
前記顔画像より特徴量を抽出する特徴量抽出手段とをさらに含み、
前記計算手段は、前記取得手段により取得された申請者の顔画像と、前記蓄積手段に蓄積された登録者の顔画像との特徴量を用いて類似度を計算する
請求項１に記載の情報処理装置。
【請求項３】
前記蓄積手段は、予め登録された登録者の顔画像をデータベースとして蓄積し、
前記データベースには、所定回数以上登録された未登録者の顔画像が、前記登録者の顔画像として登録される
請求項１に記載の情報処理装置。
【請求項４】
予め登録された登録者の登録情報を蓄積する蓄積ステップと、
前記蓄積ステップの処理で蓄積された登録者の登録情報を配信する配信ステップと、
前記配信ステップの処理による前記蓄積ステップの処理で蓄積された登録者の登録情報の配信先の情報を格納する格納ステップと、
申請者の生体情報を取得する取得ステップと、
前記取得ステップの処理により取得された前記申請者の生体情報より抽出される特徴量と、前記蓄積ステップの処理で蓄積された登録者の生体情報より抽出される特徴量とを用いて、前記申請者の生体情報の類似度を計算する計算ステップと、
前記申請者の生体情報の類似度と所定の閾値とを比較し、比較結果に基づいて、前記申請者が前記登録者であるかを判定する申請者真偽判定ステップと、
前記申請者真偽判定ステップの処理により前記申請者が前記登録者であると判定された場合、前記格納ステップの処理で格納されている配信先の情報に基づいて、前記配信先に対して、前記申請者に対応する前記登録者の登録情報の削除指示を送信する送信ステップと
を含む情報処理方法。
【請求項５】
予め登録された登録者の登録情報を蓄積する蓄積ステップと、
前記蓄積ステップの処理で蓄積された登録者の登録情報を配信する配信ステップと、
前記配信ステップの処理による前記蓄積ステップの処理で蓄積された登録者の登録情報の配信先の情報を格納する格納ステップと、
申請者の生体情報を取得する取得ステップと、
前記取得ステップの処理により取得された前記申請者の生体情報より抽出される特徴量と、前記蓄積ステップの処理で蓄積された登録者の生体情報より抽出される特徴量とを用いて、前記申請者の生体情報の類似度を計算する計算ステップと、
前記申請者の生体情報の類似度と所定の閾値とを比較し、比較結果に基づいて、前記申請者が前記登録者であるかを判定する申請者真偽判定ステップと、
前記申請者真偽判定ステップの処理により前記申請者が前記登録者であると判定された場合、前記格納ステップの処理で格納されている配信先の情報に基づいて、前記配信先に対して、前記申請者に対応する前記登録者の登録情報の削除指示を送信する送信ステップと
を含む処理をコンピュータに実行させるプログラム。
【請求項６】
情報処理装置と前記申請者の登録情報の削除を申請する情報処理端末とからなる情報処理システムにおいて、
前記情報処理装置は、
予め登録された登録者の登録情報を蓄積する蓄積手段と、
前記蓄積手段に蓄積された登録者の登録情報を配信する配信手段と、
前記配信手段による前記蓄積手段に蓄積された登録者の登録情報の配信先の情報を格納する格納手段と、
申請者の生体情報を取得する取得手段と、
前記取得手段により取得された前記申請者の生体情報より抽出される特徴量と、前記蓄積手段に蓄積された登録者の生体情報より抽出される特徴量とを用いて、前記申請者の生体情報の類似度を計算する計算手段と、
前記申請者の生体情報の類似度と所定の閾値とを比較し、比較結果に基づいて、前記申請者が前記登録者であるかを判定する申請者真偽判定手段と、
前記申請者真偽判定手段により前記申請者が前記登録者であると判定された場合、前記格納手段に格納されている配信先の情報に基づいて、前記配信先に対して、前記申請者に対応する前記登録者の登録情報の削除指示を送信する送信手段と
を含み、
前記情報処理端末は、
前記配信手段により配信されてきた前記登録者の登録情報、および、前記申請者に対応する前記登録者の登録情報の削除指示を受信する受信手段と、
前記受信手段により登録者の登録情報が受信された場合、前記登録者の登録情報を記憶する記憶手段と、
前記受信手段により登録者の登録情報の削除指示が受信された場合、前記記憶手段により記憶されている登録者の登録情報のうち、前記申請者の登録情報を削除する削除手段と
を含む情報処理システム。
【請求項７】
配信されてきた登録者の登録情報、および、申請者に対応する前記登録者の登録情報の削除指示を受信する受信手段と、
前記受信手段により登録者の登録情報が受信された場合、前記登録者の登録情報を記憶する記憶手段と、
前記受信手段により登録者の登録情報の削除指示が受信された場合、前記記憶手段により記憶されている登録者の登録情報のうち、前記申請者の登録情報を削除する削除手段と
を含む情報処理装置。
【発明の詳細な説明】
【技術分野】
【０００１】
本発明は、情報処理装置および方法、情報処理システム、並びにプログラムに関し、特に、複数の配信先に配信された個人情報の全てを、一括して確実に削除できるようにした情報処理装置および方法、情報処理システム、並びにプログラムに関する。
【背景技術】
【０００２】
複数の店舗に対して顧客の顔画像情報を配信して、各店舗において配信された顧客の顔画像情報と、来店した顧客の顔画像とを照合するようにして、顧客の来店を認識できるようにする顔照合システムが提案されている（特許文献１参照）。
【０００３】
【特許文献１】特開２００３−２３６１９８号公報
【発明の開示】
【発明が解決しようとする課題】
【０００４】
ところで、以上の例においては、顧客の意思に関わらず顧客顔画像情報が複数の店舗にて閲覧可能な状態とされている。すなわち、個人情報である顧客顔画像が第三者により閲覧されることとなっていた。
【０００５】
結果として、上記の手法では、昨今の個人情報保護法の観点から見た場合、違法性が存在している可能性があった。
【０００６】
また、以上の例においては、一旦、店舗にダウンロードされた顧客の顔画像情報は複数の店舗側で所有することが可能であり、顧客が管理センタまたは他店に対して顧客本人の顔画像情報の削除申請を行った場合でも、各店舗における個々の削除申請者の個人情報を完全に抹消する事は困難であった。
【０００７】
本発明はこのような状況に鑑みてなされたものであり、複数の店舗に配信された顧客顔画像情報を一括して確実に削除できるようにするものである。
【課題を解決するための手段】
【０００８】
本発明の第１の側面の情報処理装置は、予め登録された登録者の登録情報を蓄積する蓄積手段と、前記蓄積手段に蓄積された登録者の登録情報を配信する配信手段と、前記配信手段による前記蓄積手段に蓄積された登録者の登録情報の配信先の情報を格納する格納手段と、申請者の生体情報を取得する取得手段と、前記取得手段により取得された前記申請者の生体情報より抽出される特徴量と、前記蓄積手段に蓄積された登録者の生体情報より抽出される特徴量とを用いて、前記申請者の生体情報の類似度を計算する計算手段と、前記申請者の生体情報の類似度と所定の閾値とを比較し、比較結果に基づいて、前記申請者が前記登録者であるかを判定する申請者真偽判定手段と、前記申請者真偽判定手段により前記申請者が前記登録者であると判定された場合、前記格納手段に格納されている配信先の情報に基づいて、前記配信先に対して、前記申請者に対応する前記登録者の登録情報の削除指示を送信する送信手段とを含む。
【０００９】
画像を撮像する撮像手段と、前記撮像手段により撮像された画像より、前記申請者の顔画像を抽出する顔画像抽出手段と、前記顔画像より特徴量を抽出する特徴量抽出手段とをさらに含み、前記計算手段には、前記取得手段により取得された申請者の顔画像と、前記蓄積手段に蓄積された登録者の顔画像との特徴量を用いて類似度を計算させるようにする。
【００１０】
前記蓄積手段には、予め登録された登録者の顔画像をデータベースとして蓄積させるようにし、前記データベースには、所定回数以上登録された未登録者の顔画像が、前記登録者の顔画像として登録されるようにすることができる。
【００１１】
本発明の第１の側面の情報処理方法は、予め登録された登録者の登録情報を蓄積する蓄積ステップと、前記蓄積ステップの処理で蓄積された登録者の登録情報を配信する配信ステップと、前記配信ステップの処理による前記蓄積ステップの処理で蓄積された登録者の登録情報の配信先の情報を格納する格納ステップと、申請者の生体情報を取得する取得ステップと、前記取得ステップの処理により取得された前記申請者の生体情報より抽出される特徴量と、前記蓄積ステップの処理で蓄積された登録者の生体情報より抽出される特徴量とを用いて、前記申請者の生体情報の類似度を計算する計算ステップと、前記申請者の生体情報の類似度と所定の閾値とを比較し、比較結果に基づいて、前記申請者が前記登録者であるかを判定する申請者真偽判定ステップと、前記申請者真偽判定ステップの処理により前記申請者が前記登録者であると判定された場合、前記格納ステップの処理で格納されている配信先の情報に基づいて、前記配信先に対して、前記申請者に対応する前記登録者の登録情報の削除指示を送信する送信ステップとを含む。
【００１２】
本発明の第１の側面のプログラムは、予め登録された登録者の登録情報を蓄積する蓄積ステップと、前記蓄積ステップの処理で蓄積された登録者の登録情報を配信する配信ステップと、前記配信ステップの処理による前記蓄積ステップの処理で蓄積された登録者の登録情報の配信先の情報を格納する格納ステップと、申請者の生体情報を取得する取得ステップと、前記取得ステップの処理により取得された前記申請者の生体情報より抽出される特徴量と、前記蓄積ステップの処理で蓄積された登録者の生体情報より抽出される特徴量とを用いて、前記申請者の生体情報の類似度を計算する計算ステップと、前記申請者の生体情報の類似度と所定の閾値とを比較し、比較結果に基づいて、前記申請者が前記登録者であるかを判定する申請者真偽判定ステップと、前記申請者真偽判定ステップの処理により前記申請者が前記登録者であると判定された場合、前記格納ステップの処理で格納されている配信先の情報に基づいて、前記配信先に対して、前記申請者に対応する前記登録者の登録情報の削除指示を送信する送信ステップとを含む処理をコンピュータに実行させる。
【００１３】
本発明の第２の側面の情報処理システムは、情報処理装置と前記申請者の登録情報の削除を申請する情報処理端末とからなる情報処理システムであって、前記情報処理装置が、予め登録された登録者の登録情報を蓄積する蓄積手段と、前記蓄積手段に蓄積された登録者の登録情報を配信する配信手段と、前記配信手段による前記蓄積手段に蓄積された登録者の登録情報の配信先の情報を格納する格納手段と、申請者の生体情報を取得する取得手段と、前記取得手段により取得された前記申請者の生体情報より抽出される特徴量と、前記蓄積手段に蓄積された登録者の生体情報より抽出される特徴量とを用いて、前記申請者の生体情報の類似度を計算する計算手段と、前記申請者の生体情報の類似度と所定の閾値とを比較し、比較結果に基づいて、前記申請者が前記登録者であるかを判定する申請者真偽判定手段と、前記申請者真偽判定手段により前記申請者が前記登録者であると判定された場合、前記格納手段に格納されている配信先の情報に基づいて、前記配信先に対して、前記申請者に対応する前記登録者の登録情報の削除指示を送信する送信手段とを含み、前記情報処理端末が、前記配信手段により配信されてきた前記登録者の登録情報、および、前記申請者に対応する前記登録者の登録情報の削除指示を受信する受信手段と、前記受信手段により登録者の登録情報が受信された場合、前記登録者の登録情報を記憶する記憶手段と、前記受信手段により登録者の登録情報の削除指示が受信された場合、前記記憶手段により記憶されている登録者の登録情報のうち、前記申請者の登録情報を削除する削除手段とを含む。
【００１４】
本発明の第３の側面の情報処理装置は、配信されてきた登録者の登録情報、および、申請者に対応する前記登録者の登録情報の削除指示を受信する受信手段と、前記受信手段により登録者の登録情報が受信された場合、前記登録者の登録情報を記憶する記憶手段と、前記受信手段により登録者の登録情報の削除指示が受信された場合、前記記憶手段により記憶されている登録者の登録情報のうち、前記申請者の登録情報を削除する削除手段とを含む。
【００１５】
本発明の第１の側面の情報処理装置および方法、並びにプログラムにおいては、予め登録された登録者の登録情報が蓄積され、蓄積された登録者の登録情報が配信され、蓄積された登録者の登録情報の配信先の情報が格納され、申請者の生体情報が取得され、取得された前記申請者の生体情報より抽出される特徴量と、蓄積された登録者の生体情報より抽出される特徴量とが用いられて、前記申請者の生体情報の類似度が計算され、前記申請者の生体情報の類似度と所定の閾値とが比較され、比較結果に基づいて、前記申請者が前記登録者であるかが判定され、前記申請者が前記登録者であると判定された場合、格納されている配信先の情報に基づいて、前記配信先に対して、前記申請者に対応する前記登録者の登録情報の削除指示が送信される。
【００１６】
本発明の第２の側面の情報処理システムにおいては、情報処理装置と前記申請者の登録情報の削除を申請する情報処理端末とからなる情報処理システムであって、前記情報処理装置により、予め登録された登録者の登録情報が蓄積され、蓄積された登録者の登録情報が配信され、蓄積された登録者の登録情報の配信先の情報が格納され、申請者の生体情報が取得され、取得された前記申請者の生体情報より抽出される特徴量と、蓄積された登録者の生体情報より抽出される特徴量とが用いられて、前記申請者の生体情報の類似度が計算され、前記申請者の生体情報の類似度と所定の閾値とが比較され、比較結果に基づいて、前記申請者が前記登録者であるかが判定され、前記申請者が前記登録者であると判定された場合、格納されている配信先の情報に基づいて、前記配信先に対して、前記申請者に対応する前記登録者の登録情報の削除指示が送信され、前記情報処理端末により、配信されてきた前記登録者の登録情報、および、前記申請者に対応する前記登録者の登録情報の削除指示が受信され、登録者の登録情報が受信された場合、前記登録者の登録情報が記憶され、登録者の登録情報の削除指示が受信された場合、記憶されている登録者の登録情報のうち、前記申請者の登録情報が削除される。
【００１７】
本発明の第３の側面の情報処理装置においては、配信されてきた登録者の登録情報、および、申請者に対応する前記登録者の登録情報の削除指示が受信され、登録者の登録情報が受信された場合、前記登録者の登録情報が記憶され、登録者の登録情報の削除指示が受信された場合、記憶されている登録者の登録情報のうち、前記申請者の登録情報が削除される。
【００１８】
本発明の情報処理システムにおける、情報処理装置とは、例えば、生体情報管理センタであり、予め登録された登録者の登録情報を蓄積する蓄積手段とは、例えば、登録遊技者DBであり、前記蓄積手段に蓄積された登録者の登録情報を配信する配信手段とは、例えば、DB配信部であり、前記配信手段による前記蓄積手段に蓄積された登録者の登録情報の配信先の情報を格納する格納手段とは、例えば、配信先情報DBであり、申請者の生体情報を取得する取得手段とは、例えば、削除申請取得部であり、前記取得手段により取得された前記申請者の生体情報より抽出される特徴量と、前記蓄積手段に蓄積された登録者の生体情報より抽出される特徴量とを用いて、前記申請者の生体情報の類似度を計算する計算手段とは、例えば、類似度計算部であり、前記申請者の生体情報の類似度と所定の閾値とを比較し、比較結果に基づいて、前記申請者が前記登録者であるかを判定する申請者真偽判定手段とは、例えば、類似度判定部であり、前記申請者真偽判定手段により前記申請者が前記登録者であると判定された場合、前記格納手段に格納されている配信先の情報に基づいて、前記配信先に対して、前記申請者に対応する前記登録者の登録情報の削除指示を送信する送信手段とは、例えば、削除依頼送信部であり、前記情報処理端末とは、例えば、削除申請端末であり、前記配信手段により配信されてきた前記登録者の登録情報、および、前記申請者に対応する前記登録者の登録情報の削除指示を受信する受信手段とは、例えば、データベース管理部であり、前記受信手段により登録者の登録情報が受信された場合、前記登録者の登録情報を記憶する記憶手段とは、例えば、登録部であり、前記受信手段により登録者の登録情報の削除指示が受信された場合、前記記憶手段により記憶されている登録者の登録情報のうち、前記申請者の登録情報を削除する削除手段とは、例えば、削除部である。
【００１９】
すなわち、情報処理装置の類似度判定部が、申請者の顔画像と、登録遊技者データベースとして蓄積された登録者の顔画像との類似度が所定の閾値との比較により、同一人物であるか否かを判定し、前記申請者が前記登録者であると判定した場合、各情報処理端末に対して、登録者の登録情報の削除指示が送信される。これにより、各情報処理端末は、情報処理装置より配信されてきた登録者の登録情報のうち、申請者と同一人物であるとみなされた登録者の登録情報の削除指示に基づいて、申請者と同一人物であるとみなされた登録者の登録情報を削除する。結果として、複数の各情報処理端末に対して、一括して、確実に申請者と同一であるものとみなされた登録者の登録情報を削除することが可能となる。
【発明の効果】
【００２０】
本発明によれば、複数の配信先に配信された個人情報の全てを、一括して確実に削除することが可能となる。
【発明を実施するための最良の形態】
【００２１】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
すなわち、本発明の第１の側面の情報処理装置は、予め登録された登録者の登録情報を蓄積する蓄積手段（例えば、図７の登録遊技者DB２６２）と、前記蓄積手段に蓄積された登録者の登録情報を配信する配信手段（例えば、図７のDB配信部２４１）と、前記配信手段による前記蓄積手段に蓄積された登録者の登録情報の配信先の情報を格納する格納手段（例えば、図７の配信先情報DB４）と、申請者の生体情報を取得する取得手段（例えば、図７の削除申請取得部２５１）と、前記取得手段により取得された前記申請者の生体情報より抽出される特徴量と、前記蓄積手段に蓄積された登録者の生体情報より抽出される特徴量とを用いて、前記申請者の生体情報の類似度を計算する計算手段（例えば、図７の類似度計算部２５３ｂ）と、前記申請者の生体情報の類似度と所定の閾値とを比較し、比較結果に基づいて、前記申請者が前記登録者であるかを判定する申請者真偽判定手段（例えば、図７の類似度判定部２５３ｃ）と、前記申請者真偽判定手段により前記申請者が前記登録者であると判定された場合、前記格納手段に格納されている配信先の情報に基づいて、前記配信先に対して、前記申請者に対応する前記登録者の登録情報の削除指示を送信する送信手段（例えば、図７の削除依頼送信部２５５）とを含む。
【００２３】
画像を撮像する撮像手段（例えば、図３のカメラ１２２）と、前記撮像手段により撮像された画像より、前記申請者の顔画像を抽出する顔画像抽出手段（例えば、図４の顔画像抽出部１４２）と、前記顔画像より特徴量を抽出する特徴量抽出手段とをさらに含み、前記計算手段には、前記取得手段により取得された申請者の顔画像と、前記蓄積手段に蓄積された登録者の顔画像との特徴量を用いて類似度を計算させるようにする。
【００２４】
前記蓄積手段（例えば、図７の登録遊技者DB２６２）には、予め登録された登録者の顔画像をデータベースとして蓄積させるようにし、前記データベースには、所定回数以上登録された未登録者の顔画像が、前記登録者の顔画像として登録されるようにすることができる。
【００２５】
本発明の第１の側面の情報処理方法およびプログラムは、予め登録された登録者の登録情報を蓄積する蓄積ステップ（例えば、図１１のステップＳ６４）と、前記蓄積ステップの処理で蓄積された登録者の登録情報を配信する配信ステップ（例えば、図１１のステップＳ６６）と、前記配信ステップの処理による前記蓄積ステップの処理で蓄積された登録者の登録情報の配信先の情報を格納する格納ステップ（例えば、図１１のステップＳ６５）と、申請者の生体情報を取得する取得ステップ（例えば、図１４のステップＳ１６１）と、前記取得ステップの処理により取得された前記申請者の生体情報より抽出される特徴量と、前記蓄積ステップの処理で蓄積された登録者の生体情報より抽出される特徴量とを用いて、前記申請者の生体情報の類似度を計算する計算ステップ（例えば、図１４のステップＳ１６４）と、前記申請者の生体情報の類似度と所定の閾値とを比較し、比較結果に基づいて、前記申請者が前記登録者であるかを判定する申請者真偽判定ステップ（例えば、図１４のステップＳ１６５）と、前記申請者真偽判定ステップの処理により前記申請者が前記登録者であると判定された場合、前記格納ステップの処理で格納されている配信先の情報に基づいて、前記配信先に対して、前記申請者に対応する前記登録者の登録情報の削除指示を送信する送信ステップ（例えば、図１４のステップＳ１６９）とを含む。
【００２６】
図１は、本発明に係る遊技店の監視システムの一実施の形態の構成を示す図である。
【００２７】
遊技店１−１乃至１−ｎは、いわゆるパチンコ店、パチスロ店、または、カジノ店である。また、これらの遊技店１−１乃至１−ｎは、系列店舗または生体情報管理センタや第３者遊技店管理センタの加盟店であって、複数の店舗を統括的に管理する必要のある店舗である。各遊技店１−１乃至１−ｎは、生体情報管理バス７および第３者遊技店管理バス８により接続されており、それらのバスおよびインターネット等に代表される公衆通信回線網９，１０を介して、相互にそれぞれ生体情報、および第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００２８】
生体情報管理バス７は、主に各遊技店１の生体情報認識装置２１により管理される生体情報を流通させるための伝送路として機能する。また、第３者遊技店管理バス８は、主に各遊技店１の媒体貸出管理装置２７により管理される媒体貸出管理情報を流通させるための伝送路として機能する。
【００２９】
生体情報管理センタ２は、生体情報管理センタを管理運営する事業者により使用されるサーバであり、生体情報管理データベース（以降、DBとも称するものとする）３で管理されている登録遊技者DB２６２（図７）を各遊技店１により生成される未登録遊技者DB２６１（図７）に基づいて更新すると供に、更新した最新の登録遊技者DB２６２を配布先情報DB４に設定されている配布先として登録されている遊技店コードに対応する各遊技店１の生体情報認識装置２１に対して配信する。また、生体情報管理センタ２は、登録遊技者DB２６２に登録されている登録遊技者の削除申請を各遊技店１に設けられている削除申請端末１９より受け付けると、対応した処理を実行し必要に応じて登録遊技者DB２６２に登録されている削除申請の申請者の情報を削除すると供に、配布先情報DB４に配布先として登録されている遊技店コードに対応する遊技店１に対して、同様の申請者に対応する登録遊技者の情報を削除するように削除指示を送信する。
【００３０】
第３者遊技店管理センタ５は、第３者遊技店管理センタを管理運営する事業者により使用されるサーバであり、第３者遊技店管理データベース（DB）６で管理されている媒体貸出管理情報からなるDBを各遊技店１より供給されてくる情報に基づいて更新すると供に、更新した最新の媒体貸出管理情報を各遊技店１の媒体貸出管理装置２７に対して配信する。
【００３１】
生体情報認識装置２１は、カメラ３８−１乃至３８−ｍ、入口カメラ４０−１乃至４０−ｐ、および店内カメラ４１−１乃至４１−ｑにより撮像された画像より画像処理ユニット３９−１乃至３９−（ｍ＋ｐ＋ｑ）により抽出されて、生体情報バス３１を介して供給されてくる顔画像の情報に基づいて、生体情報データベース２２に予め登録されている顔画像と照合し、一致する場合、登録遊技者の来店を携帯端末２０に通知したり、CRT（Cathode Ray Tube）またはLCD（Liquid Crystal Display）などからなる表示部２３に表示する。また、生体情報データベース２２に予め登録されている顔画像と照合し、一致しない場合、生体情報認識装置２１は、生体情報管理データベース３にアクセスし、未登録者として未登録遊技者DB２６１に登録する。
【００３２】
遊技店管理装置２４は、いわゆるホールコンピュータと呼ばれるものであり、遊技店管理情報バス３０を介して遊技台３６−１乃至３６−ｍの動作を監視している。遊技店管理装置２４は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をCRTやLCDなどからなる表示部２５に表示する。遊技店管理装置２４は、精算販売機３３、貸出機３４、計数機３５、遊技台３６−１乃至３６−ｍ、および遊技台周辺端末３７−１乃至３７−ｍのそれぞれより供給されてくる情報を、それぞれを識別する識別情報（例えば、遊技台番号）とを対応付けて遊技台管理データベース２６により管理する。
【００３３】
媒体貸出管理装置２７は、精算販売機３３、貸出機３４、および計数機３５からの情報に基づいて、貸し出される遊技媒体の媒体貸出管理情報を媒体貸出管理データベース２９を用いて管理すると供に、媒体貸出管理データベース２９に登録されている媒体貸出管理情報を更新する際、その更新情報を、第３者遊技店管理バス８および公衆通信回線網１０を介して第３者遊技店管理センタ５に送る。さらに、媒体貸出管理装置２７は、第３者遊技店管理バス８および公衆通信回線網１０を介して第３者遊技店管理センタ５により供給されてくる媒体貸出管理情報を取得し、媒体貸出管理データベース２９に蓄積させる。
【００３４】
貸出機３４は、遊技者が遊技台３６で遊技する際、現金やプリペイドカードなどにより所定の金額を受け付けると、金額に応じた個数の遊技媒体を貸し出す。この際、貸出機３４は、受け付けた現金やプリペイドカードの残数などの情報と供に、貸し出した遊技媒体の個数の情報を媒体貸出管理装置２７に供給する。これにより、媒体貸出管理装置２７は、受け付けた現金やプリペイドカードの残数などの情報と供に、貸し出した遊技媒体の個数の情報を媒体貸出管理情報データベース２９に登録する。
【００３５】
精算販売機３３は、貸球を借りるための度数をつけてプリペイドカードを販売する。このとき、精算販売機３３は、販売したプリペイドカードの度数と払いうけた金額とを媒体貸出管理装置２７に供給する。また、精算販売機３３は、プリペイドカードなどの度数として貸し出した遊技媒体の残数に基づいて現金を精算して払い出す。このとき、精算販売機３３は、プリペイドカードの残数と払い戻した現金の金額を媒体貸出管理装置２７に供給する。
【００３６】
計数機３５は、遊技者が遊技台３６により遊技することにより獲得した遊技媒体の数を、計数し、計数結果を磁気カードやレシートなどとして出力する。
【００３７】
遊技台３６−１乃至３６−ｍは、遊技者により所定の操作がなされることにより、遊技を実行し、いわゆる小当たりや大当たりに応じて、遊技球、または、メダルを払い出す。
【００３８】
遊技台周辺端末３７−１乃至３７−ｍは、各遊技台３６−１乃至３６−ｍに対応して設けられている、いわゆる台間機であり、台間球貸機（原理的には、貸出機３４と同様のもの）などが設けられている。また、遊技台周辺端末３７は、遊技台３６を遊技する遊技者の顔画像などの生体情報を取得し、遊技台識別情報（遊技台番号）と共に生体情報認識装置２１に送信する。尚、図１においては、生体情報を取得する機能として、遊技者の顔画像を取得するカメラ３８−１乃至３８−ｍが設けられている例が示されている。
【００３９】
カメラ３８−１乃至３８−ｍは、例えば、各遊技台３６のそれぞれの上部に設けられた台表示ランプの下部に遊技者が撮像できるように設け、顔画像を撮像するようにしてもよく、このようにすることにより、各カメラIDは、同時に遊技台IDとして使用することが可能となる。
【００４０】
また、カメラ３８−１乃至３８−ｍは、例えば、遊技台周辺端末３７の端部に凸部を設け、遊技者の顔画像が撮像できるように設けるようにしてもよい。
【００４１】
さらに、カメラ３８−１乃至３８−ｍは、例えば、遊技台３６の中央部（遊技台３６の盤面上）に設けるようにして、撮像するようにしてもよい。
【００４２】
入口カメラ４０−１乃至４０−ｐおよび店内カメラ４１−１乃至４１−ｑは、遊技店１の店内における出入口および所定の場所に設置され、撮像した画像をそれぞれ画像処理ユニット３９−（ｍ＋１）乃至３９−（ｍ＋ｐ＋ｑ）に供給する。
【００４３】
入口カメラ４０−１乃至４０−ｐおよび店内カメラ４１−１乃至４１−ｑは、例えば、図２で示されるように設定される。図２は、遊技店１内の入口カメラ４０−１乃至４０−ｐおよび店内カメラ４１−１乃至４１−ｑの設置例を示している。
【００４４】
すなわち、図２においては、出入口１１２−１乃至１１２−３が設けられており、入口カメラ４０−１乃至４０−３は、それぞれの出入口１１２より入店してくる遊技者を撮像する。また、店内カメラ４１−１乃至４１−１０は、島設備１１１−１乃至１１１−５のそれぞれ両面をそれぞれ一列に渡って撮像できる位置に設定されている。島設備１１１は、両面に遊技台３６が設置されており、すなわち、図中の島設備１１１を上下方向に挟むように設置されている。カメラ３８、入口カメラ４０および店内カメラ４１は、いずれにおいてもパンチルトズーム機能を備えているため、図２で示されるように、店内カメラ４１−１乃至４１−１０が配置されることにより、遊技台３６で遊技する全遊技者が、店内カメラ４１−１乃至４１−１０のいずれかで撮像できる。
【００４５】
さらに、店内カメラ４１−ａは、貸出機３４の前に設けられており、店内カメラ４１−ｂは、精算販売機３３の前に設けられており、店内カメラ４１−ｃは、計数機３５の前に設けられており、それぞれ、貸出機３４、精算販売機３３、および計数機３５を利用する遊技者を撮像することができる。
【００４６】
すなわち、図２で示されるように、遊技店１においては、来店する遊技者、遊技台３６で遊技する遊技者、並びに、貸出機３４、精算販売機３３、および計数機３５を利用する遊技者といった、遊技店１において遊技者が取るであろうことが想定される行動のほぼ全てを監視できるように、カメラ３８、入口カメラ４０、および店内カメラ４１が設置されている。
【００４７】
ただし、削除申請端末１９の機能に鑑みれば、削除申請端末１９の付近には、店内カメラ４１が設けられるべきではない。すなわち、削除申請端末１９は、後述するように撮像された顔画像に基づいて登録されている顔画像の情報を削除するべく削除申請を実行するものである。従って、その近傍にカメラが設けられていると、後述する処理により削除された筈の削除申請者の顔画像が再び撮像されることにより登録されてしまう恐れがあるので、削除申請端末１９から店外までは、カメラにより撮像されることのない構成とされることが望ましい。また、削除申請端末１９については、上述のような理由から遊技店１の店外に設けられるようにしてもよい。
【００４８】
次に、図３，図４を参照して、削除申請端末１９について説明する。図３は、削除申請端末１９の外観斜視図であり、図４は、削除申請端末１９の構成例を示すブロック図である。
【００４９】
操作部１２１は、ボタンやキーボードより構成され、削除申請者により各種の指令を入力するとき操作され、操作内容に応じた信号を発生し、カメラ１２１、および画像取得部１４１に供給する。
【００５０】
カメラ１２２は、CCD（Charge Coupled Devices）または、CMOS（Complementary Metal Oxide Semiconductor）などの撮像素子から構成されており、削除申請者の顔付近の画像を撮像して、撮像した画像を表示部１２３および画像取得部１４１に供給する。
【００５１】
表示部１２３は、CRT（Cathode Ray Tube）またはLCD（Liquid Crystal Display）などから構成されており、カメラ１２２により撮像された画像を始めとする、削除申請に必要とされる操作内容についての指示情報や各種の操作内容に反映される情報を表示する。
【００５２】
画像取得部１４１は、操作部１２１の操作内容に従って、カメラ１２１により撮像された画像を取得すると供に、顔画像抽出部１４２に供給する。
【００５３】
顔画像抽出部１４２は、画像取得部１４１より供給されてきた画像内に、顔を構成する部位の配置などのパターンにより顔画像からなる矩形画像を抽出して判定部１４３に供給する。
【００５４】
判定部１４３は、顔画像抽出部１４２より供給されてくる顔画像より後述する類似度計算に用いられる特徴量を抽出し、特徴量の抽出が可能な画像であるか否かを判定して、抽出が可能であれば、削除申請生成部１４４に顔画像を供給すると供に、抽出不能であれば、その旨を表示部１２３に表示する。
【００５５】
削除申請生成部１４４は、登録された顔画像の削除申請情報を生成して送受信部１４５に供給する。また、削除申請生成部１４４は、削除申請を生成する際、画像圧縮部１５１を制御して、顔画像を圧縮し、圧縮された顔画像を削除申請に添付する。また、削除申請生成部１４４は、削除申請を生成する際、遊技店コード付加部１５２を制御して、削除申請に遊技店コードを付加する。
【００５６】
送受信部１４５は、顔画像および遊技店コードが付された削除申請を生体情報管理センタ２に送信する。また、送受信部１４５は、生体情報管理センタ２より送信されてくる削除申請に基づいた通知が送信されてくると受信し、通知内容を表示部１２３に表示する。
【００５７】
尚、図３においては、削除申請を行う申請者により操作される操作面からの斜視図であったが、削除申請端末１９における反対面には、遊技店１の係員により操作される操作部および表示部等が、図示しないが存在する。すなわち、削除申請者のうち、削除申請端末１９の操作に不慣れな削除申請者に対しては、遊技店１の係員が代わりに操作をすることができる構成となっている。しかしながら、その構成は、図３における操作部１２１および表示部１２３と同様のものであるので、その説明は省略するものとする。また、カメラ１２２については、削除申請者の顔画像を撮像するものであるので、反対面には設けられていない。
【００５８】
次に、図５を参照して、画像処理ユニット３９の構成例について説明する。
【００５９】
画像取得部２０１は、カメラ３８（または、入口カメラ４０もしくは店内カメラ４１）により撮像された画像を取得し、顔画像抽出部２０２に供給する。顔画像抽出部２０２は、画像取得部２０１より供給されてきた画像内に、顔を構成する部位の配置などのパターンにより顔画像からなる矩形画像を抽出して送信部２０３に供給する。送信部２０３は、顔画像を生体情報認識装置２１に送信する。
【００６０】
次に、図６を参照して、生体情報認識装置２１の構成例について説明する。
【００６１】
顔画像取得部２２１は、画像処理ユニット３９より供給される顔画像を取得し、照合部２２２に供給する。照合部２２２は、顔画像取得部２２１により取得された顔画像と、生体情報DB２２に予め登録されている登録遊技者の顔画像とを照合し、類似度の高い候補となる顔画像があれば、第３候補までの顔画像を照合結果として表示部２３に表示させる。また、照合部２２２は、類似度の高い候補となる顔画像が存在しない場合、供給されてきた顔画像を未登録遊技者データベース登録部２２３に供給する。
【００６２】
より詳細には、照合部２２２の特徴量抽出部２３１は、顔画像を識別するための特徴量を抽出して、顔画像と共に類似度計算部２３２に供給する。類似度計算部２３２は、生体情報DB２２に登録されている登録遊技者の顔画像の特徴量を抽出すると供に、特徴量抽出部２３１より供給されてくる特徴量とを用いて、生体情報DB２２に登録されている全ての登録遊技者の顔画像との類似度を求め、顔画像取得部２２１より供給されてきた顔画像、および、類似度が上位３位までの顔画像を類似度判定部２３３に供給する。より具体的には、類似度計算部２３２は、例えば、目と目の間隔、あごから額までの長さと、あごから鼻までの長さの比率などの各種の顔の特徴量に基づいて、それぞれの差分和、平均比率、または比率和などを類似度として求める。
【００６３】
類似度判定部２３３は、類似度計算部２３２より供給されてくる類似度が上位３位となる顔画像のそれぞれの類似度のうち、１位となる顔画像との類似度と、所定の閾値とを比較し、比較結果に基づいて、１位となる登録顔画像が、顔画像取得部２２１より供給されてきた顔画像に対して類似している場合（類似度が高い程類似していることを示す類似度の場合、所定の閾値よりも高いとき、また、類似度が低い程類似していることを示す類似度の場合、所定の閾値よりも低いとき）、上位３位となる顔画像と類似度の情報を表示部２３に供給して、表示させると供に、通信部２２４に供給する。また、類似度判定部２３３は、１位となる顔画像との類似度と、所定の閾値とを比較し、比較結果に基づいて、１位となる登録顔画像が、顔画像取得部２２１より供給されてきた顔画像に対して類似していない場合、顔画像取得部２２１より供給されてきた顔画像を未登録遊技者データベース登録部２２３に供給する。
【００６４】
未登録遊技者データベース登録部２２３は、照合部２２２より未登録であるとみなされて供給されてきた、顔画像を生体情報管理データベース３の未登録遊技者DB２６１に登録する。
【００６５】
操作部２２５は、ボタン、マウス、または、キーボードなどから構成され、上述した類似度が上位３位となる、表示部２３に表示された顔画像のいずれかが選択されるとき操作され、操作結果を通信部２２４に供給する。通信部２２４は、モデムなどから構成され、操作部２２５からの操作信号に基づいて、選択された顔画像を携帯端末２０に配信する。
【００６６】
尚、ここでは、類似度は、例えば、比率和で示されるような登録遊技者として登録されている顔画像に近いほど高い値を示すものであるとし、類似度が所定の閾値よりも高い値であるとき、その類似度に対応する登録遊技者の顔画像であるものとして判定する例について説明する。しかしながら、例えば、類似度が撮像された顔画像と登録遊技者として登録されている顔画像とのそれぞれの特徴量における差分和として表現されている場合、類似度判定部２３３は、類似度が閾値よりも小さければ、撮像された顔画像が登録遊技者の顔画像であるとみなすことになり、または、平均比率などの場合、０乃至１の範囲で所定の値以上であって、１に近い値であれば、同一の人物であるとみなすことができる。
【００６７】
データベース管理部２２６は、生体情報管理センタ２より新たな登録遊技者データベース２６２が配信されてくると、登録部２２６ａを制御して、新たな登録遊技者データベース２６２に基づいて、生体情報DB２２を更新する。また、データベース管理部２２６は、生体情報管理センタ２より削除指示が送信されてくると、削除部２２６ｂを制御して、削除が指示された顔画像を生体情報DB２２より削除する。
【００６８】
次に、図７を参照して、生体情報管理センタ２の構成例について説明する。
【００６９】
生体情報管理センタ２は、DB配信部２４１、DB更新部２４２、DB更新判定部２４３、削除依頼部２４４、操作部２４５、および配布先登録部２４６から構成されており、生体情報管理DB３に格納されている登録遊技者DB２６２を、未登録遊技者DB２６１に基づいて、更新する。より具体的には、DB更新判定部２４３は、時刻情報を発生するRTC（Real Time Clock）２４３ａを内蔵しており、その内蔵されているRTC２４３ａに基づいて、所定時間が経過すると、生体情報管理DB３にアクセスし、未登録遊技者DB２６１に新たな未登録遊技者が登録されたか否かを判定する。
【００７０】
DB更新判定部２４３は、未登録遊技者DB２６１に新たに未登録者が登録されていた場合、その旨をDB更新部２４２に通知する。DB更新部２４２は、未登録遊技者DB２６１にアクセスし、登録されている未登録遊技者のうち、所定回数以上登録されている未登録遊技者が存在するか否かを判定し、所定回数以上未登録遊技者として登録されている未登録遊技者が存在する場合、登録遊技者DB２６２を読み出して、所定回数以上登録されている未登録遊技者を登録遊技者DB２６２に登録して、更新する。さらに、DB更新部２４２は、登録遊技者DB２６２を更新すると、更新したことをDB配信部２４１に通知する。DB更新部２４１は、削除申請依頼部２４４より削除指示が供給されてきた場合、対応する生体情報としての顔画像を登録遊技者DB２６２より削除する。
【００７１】
DB配信部２４１は、DB更新部２４２より登録遊技者DB２６２が更新されたことを通知されると、生体情報管理DB３にアクセスし、登録遊技者DB２６２を読み出すと供に、配布先情報DB４に登録されている遊技店コードに対応する各遊技店１の生体情報認識装置２１に配信する。
【００７２】
削除依頼部２４４は、削除申請端末１９より削除申請が供給されると、削除申請取得部２５１を制御して削除申請を取得させる。また、削除依頼部２４４は、取得した削除申請に付加されている圧縮された顔画像を読み出し、伸張部２５２を制御して、顔画像を伸張する。
【００７３】
削除依頼部２４４は、伸張した顔画像を照合部２５３に供給して、登録遊技者DB２６２に登録されている顔画像と照合して、一致する顔画像があるか否かを判定する。より詳細には、照合部２５３は、基本的に照合部２２２と同様の機能を備えたものであり、まず、特徴量抽出部２５３ａを制御して顔画像より特徴量を抽出する。類似度計算部２５３ｂは、抽出した特徴量と、登録遊技者DB２６２に登録された全ての顔画像の特徴量とに基づいて、類似度を計算する。類似度判定部２５３ｃは、計算された類似度の最上位の顔画像が所定の閾値と比較する。例えば、比較結果が、所定の閾値より大きければ、削除依頼作成部２５４は、配布先情報DB４の情報に基づいて、削除申請者の顔画像の削除指示を作成する。
【００７４】
削除依頼送信部２５５は、DB更新部２４２に削除依頼情報を送信し、生体情報管理DB３の登録遊技者DB２６２の削除を依頼すると供に、削除申請に付された顔画像が登録遊技者DB２６２に対応する顔画像の削除指示を、複数の遊技店１に送信する。
【００７５】
処理結果通知部２５６は、削除依頼に基づいて、顔画像を削除した、または、削除依頼が申請された顔画像が登録されていないなどにより削除できないといった処理結果を、削除依頼を送信してきた遊技店１の削除申請端末１９に送信する。
【００７６】
配布先情報登録部２４６は、登録遊技者DB２６２の配信先であり、かつ、削除指示が送信されるべき遊技店１の遊技店コードが、操作部２４５が操作されて、入力されると、それぞれ法人コード付与部２４６ａおよび遊技店コード付与部２４６ｂを制御して、法人コードと遊技店コードとを配布先情報として、配布先情報DB４に登録させる。
【００７７】
次に、図８を参照して、携帯端末２０の構成例について説明する。
【００７８】
通信部２７１は、モデムなどで構成されており、遊技店１内の無線通信網を介して生体情報認識装置２１との間でデータを授受する。また、通信部２７１は、生体情報認識装置２１より配信されてくる、画像処理ユニット３９より供給された顔画像と類似する顔画像の遊技者が来店したことを示す情報を取得し、画像処理部２７２に供給する。
【００７９】
画像処理部２７２は、通信部２７１より供給されてくる画像処理ユニット３９より供給された顔画像と類似する顔画像の遊技者が来店したことを示す情報に基づいて、LCDなどにより構成される表示部２７３に表示する画像を生成すると供に、表示部２７３に表示させる。
【００８０】
次に、図９のフローチャートを参照して、登録遊技者来店監視処理について説明する。
【００８１】
ステップＳ１において、入口カメラ４０は、撮像している画像の情報、または、出入口の扉からの信号に基づいて、出入口の扉が開いたか否かを判定し、所定の時間が経過するまで、その処理を繰り返す。
【００８２】
ステップＳ１において、扉が開いたと判定された場合、ステップＳ２において、入口カメラ４０は、設置されている範囲の画像を撮像し、撮像した画像を画像処理ユニット３９に供給する。画像処理ユニット３９の画像取得部２０１は、供給された画像を取得し、顔画像抽出部２０２に供給する。
【００８３】
ステップＳ３において、顔画像抽出部２０２は、供給された画像より遊技者の顔画像を抽出し、送信部２０３に供給する。より具体的には、顔画像抽出部２０２は、例えば、撮像された画像の色などから肌が露出した部分であって、目や鼻といった特徴的な部位の配置などから顔画像を抽出して、送信部２０３に供給する。
【００８４】
ステップＳ４において、送信部２０３は、顔画像抽出部２０２より供給されてきた顔画像を生体情報認識装置２１に送信する。この際、送信部２０３は、カメラ３８、入口カメラ４０、または店内カメラ４１のそれぞれを識別するカメラIDや、送信時刻の情報などの情報を顔画像に付加して生体情報認識装置２１に送信する。
【００８５】
ステップＳ２１において、生体情報認識装置２１の顔画像取得部２２１は、顔画像を取得する。ステップＳ２２において、顔画像取得部２２１は、供給された顔画像のうち、いずれか未処理の１つを抽出し、特徴量抽出部２３１に供給する。
【００８６】
ステップＳ２３において、照合部２２２の特徴量抽出部２３１は、供給されてきた顔画像より特徴量を抽出して、顔画像と供に類似度計算部２３２に供給する。
【００８７】
ステップＳ２４において、類似度計算部２３２は、特徴量抽出部２３１より供給された顔画像についての、目と目の間隔、あごから額までの長さと、あごから鼻までの長さの比率などの各種の顔の特徴量と、生体情報DB２２に登録されている登録遊技者DB２６２に登録されている顔画像における同様の特徴量とを用いて、それぞれの差分和、平均比率、または比率和などを類似度として計算し、計算結果である登録遊技者DB２６２に登録されている顔画像との類似度の順位を求め、登録遊技者DB２６２に登録されている顔画像のうちの上位３位までの顔画像と類似度の情報を、特徴量抽出部２３１より供給されてきた顔画像と供に類似度判定部２３３に供給する。
【００８８】
ステップＳ２５において、類似度判定部２３３は、類似度計算部２３２より供給されてくる上位３位までの顔画像と類似度の情報に基づいて、最上位の類似度が所定の閾値よりも大きいか否かを判定する。すなわち、類似度判定部２３３は、最も類似している登録遊技者（生体情報DB２２に登録されている顔画像のうち、顔画像取得部２２１により取得された顔画像と最も類似している登録遊技者：ここでは、類似度の最も高い登録遊技者）の類似度を所定の閾値と比較する。
【００８９】
尚、上述のように、類似度の定義により、撮像された顔画像と最も類似している登録遊技者の顔画像との類似度は、その値そのものが最も高いとは限らないため、類似度と閾値との大小関係はこの例の場合とは異なることがある。
【００９０】
ステップＳ２５において、最上位の類似度が所定の閾値よりも大きいと判定された場合、ステップＳ２６において、類似度判定部２３３は、類似度計算部２３２より供給されてきた上位３位の顔画像が登録遊技者の顔画像の候補であることを示す報知画面３０１を表示部２３を制御して表示させる。
【００９１】
このとき、例えば、図１０で示されるような報知画面３０１が、表示部２３に表示される。
【００９２】
図１０の報知画面３０１においては、カメラ画像表示欄３１１が、左中段に設けられており、画像処理ユニット３９より供給されてきた顔画像が表示される。また、その右側には、類似度の高い順に第１候補乃至第３候補までの類似度の上位３位の登録遊技者の顔画像表示欄３１２−１乃至３１２−３が設けられている。さらに、各登録遊技者の顔画像表示欄３１２−１乃至３１２−３の下には、類似度レベル表示欄３１３−１乃至３１３−３が設けられており、類似度のレベルが表示されている。図１０において、黒で示される領域の横方向の長さが類似度の大きさを示している。
【００９３】
また、類似度レベル表示欄３１３−１乃至３１３−３の下には、対応する位置に、ID表示欄３１４−１乃至３１４−３が設けられており、各顔画像の生体情報DB２２における顔画像を識別するIDが表示されており、図１０において、左から「０００５１」、「０００１８」および「０００２２」と表示されている。
【００９４】
さらに、ID表示欄３１４−１乃至３１４−３の下には、それぞれ対応する位置に、それぞれの候補を選択されるときに操作部２２５により操作される確定ボタン３１８−１乃至３１８−３が設けられている。
【００９５】
また、カメラ画像表示欄３１１の下には、その顔画像を撮像したカメラを識別するカメラID表示欄３１５が設けられており、図１０においては、カメラ３８、入口カメラ４０、および店内カメラ４１を識別するためのカメラIDとして「カメラ０２」が表示されている。さらに、カメラID表示欄３１５の下には、時刻表示欄３１６が設けられており、入口カメラ４０により撮像された時刻が表示されており、図１０においては、「１８：２３：３２」と表示されており、カメラ画像表示欄３１１の顔画像が１８時２３分３２秒に撮像されていることが示されている。
【００９６】
さらに、時刻表示欄３１６の下には、別人ボタン３１７が設けられており、カメラ画像の顔画像が、第１候補乃至第３候補となる登録遊技者の顔画像表示欄３１２−１乃至３１２−３のいずれにも似ていないとみなされたとき、操作部２２５により操作される。
【００９７】
ステップＳ２７において、通信部２２４は、操作部２２５が操作されて、候補となる顔画像の何れかが選択されたか否か、すなわち、例えば、図１０で示される報知画面３０１が表示部２３に表示されていた場合、確定ボタン３１８−１乃至３１８−３のいずれかが操作部２２５により操作されたか否かを判定する。
【００９８】
ステップＳ２７において、例えば、確定ボタン３１８−１が操作された場合、第１候補となる顔画像が選択されたとみなされ、ステップＳ２８において、通信部２２４は、選択された第１候補となる顔画像および入口カメラ４０により撮像されたカメラ画像を携帯端末２０に送信し、該当する登録遊技者が来店したことを通知する。
【００９９】
ステップＳ４１において、通信部２７１は、登録遊技者の来店が通知されてきたか否かを判定し、通知されてくるまで、その処理を繰り返す。例えば、ステップＳ４１において、ステップＳ２８の処理により、登録遊技者の来店が通知されてきた場合、ステップＳ４２において、通信部２７１は、生体情報認識装置２１より送信されてきた登録遊技者の来店の通知を受信すると供に、その通知に併せて送信されてくる登録遊技者の顔画像および入口カメラ４０により撮像されたカメラ画像を画像処理部２７２に供給する。画像処理部２７２は、選択された顔画像および入口カメラ４０により撮像されたカメラ画像の情報を、表示部２７３に表示可能な形式の情報に加工して、ステップＳ４３において、表示部２７３に表示させる。
【０１００】
以上の処理により、遊技店１内の係員は、携帯端末２０を所持していると、登録遊技者の来店を認識することが可能となる。
【０１０１】
また、ステップＳ２９において、顔画像取得部２２１は、供給された顔画像の全てについて処理を行ったか否かを判定し、未処理の顔画像がある場合、処理は、ステップＳ２２に戻る。すなわち、全ての顔画像について処理が行なわれるまで、ステップＳ２２乃至Ｓ３０の処理が繰り返される。そして、全ての顔画像について処理が終了したと判定された場合、処理は、ステップＳ２１に戻る。
【０１０２】
一方、ステップＳ２７において、いずれの候補となる顔画像も選択されず、例えば、図１０の報知画面３０１における別人ボタン３１７が押下された場合、または、ステップＳ２５において、類似度計算部２３２より供給されてくる上位３位までの顔画像と類似度の情報に基づいて、最上位の類似度が所定の閾値よりも大きくない場合、すなわち、最も類似している登録遊技者の顔画像であっても類似度が、所定の閾値未満である場合、ステップＳ３０において、類似度判定部２３３は、画像処理ユニット３９より供給されてきた顔画像を未登録遊技者データベース登録部２２３に供給する。未登録遊技者データベース登録部２２３は、供給されてきた顔画像を生体管理情報バス６及び公衆通信回線網８を介して生体情報管理データベース３にアクセスし、未登録遊技者DB２６１に登録する。
【０１０３】
以上の処理により、生体情報認識装置２１により画像処理ユニット３９より供給されてきた顔画像が、生体情報DB２２に登録されていないとみなされると、生体情報管理センタ２により管理されている生体情報管理DB３内の未登録遊技者DB２６１に未登録遊技者の顔画像として登録される。
【０１０４】
次に、図１１のフローチャートを参照して、登録遊技者DB２６２の更新処理について説明する。
【０１０５】
ステップＳ６１において、生体情報管理センタ２のDB更新判定部２４３は、RTC２４３ａに問い合わせて、所定の時間が経過したか否かを判定し、所定の時間が経過するまで、その処理を繰り返す。例えば、ステップＳ６１において、所定の時間が経過したと判定された場合、ステップＳ６２において、DB更新判定部２４３は、生体情報管理DB３の未登録遊技者DB２６１にアクセスし、未登録遊技者が新たに登録されているか否かを判定し、新たな未登録遊技者が登録されていると判定されるまで、ステップＳ６１，Ｓ６２の処理を繰り返す。
【０１０６】
ステップＳ６２において、例えば、ステップＳ３０の処理により、新たに未登録遊技者が登録されていた場合、ステップＳ６３において、DB更新判定部２４３は、未登録遊技者DB２６１に新たに登録された未登録遊技者のいずれかが所定回数以上登録されているか否かを判定し、所定回数以上ではない場合、その処理は、ステップＳ６１に戻る。
【０１０７】
一方、ステップＳ６３において、例えば、所定回数以上未登録遊技者DB２６１に登録されている未登録遊技者が存在すると判定された場合、ステップＳ６４において、DB更新判定部２４３は、DB更新部２４２に対して、登録遊技者DB２６２の更新をするべき状態になったことを通知する。これに応じて、DB更新部２４２は、未登録遊技者DB２６１にアクセスし、所定回数以上登録されている未登録遊技者の顔画像の情報を全て読み出すと供に、登録遊技者DB２６２にアクセスし、読み出した所定回数以上登録されていた未登録遊技者の顔画像の情報に、顔画像を識別するIDを付して、登録遊技者DB２６２に追加登録して、更新する。さらに、DB更新部２４２は、登録遊技者DB２６２が更新されたことをDB配信部２４１に通知する。尚、登録遊技者DB２６２の更新が終了した時点で、所定回数以上登録されていた未登録遊技者は、未登録遊技者DB２６１より削除される。
【０１０８】
ステップＳ６５において、DB更新部２４２は、読み出した所定回数以上登録されていた未登録遊技者の顔画像の情報に、顔画像を識別するIDを付して、登録遊技者DB２６２に追加登録して、更新する際、顔画像に対応付けて、配布先情報DB４に登録されている配布先となる遊技店コードを登録遊技者DB２６２に登録する。
【０１０９】
ステップＳ６６において、DB配信部２４１は、生体情報管理DB３の新たに更新された登録遊技者DB２６２にアクセスし、読み出すと供に、配布先情報DB４にアクセスし、配布先となる遊技店コードを読み出して、生体情報認識装置２１のデータベース管理部２２６に読み出した登録遊技者DB２６２を配布先として読み出した遊技店コードに対応する遊技店１に配信する。
【０１１０】
ステップＳ８１において、データベース管理部２２６は、生体情報管理センタ２より更新された新たな登録遊技者DB２６２が配信されてきたか否かを判定し、配信されてくるまで、その処理を繰り返す。
【０１１１】
ステップＳ８１において、例えば、ステップＳ６６の処理により、生体情報管理センタ２のDB配信部２４１より新たに更新された登録遊技者DB２６２が配信されてくると、ステップＳ８２において、データベース管理部２２６は、配信されてくる登録遊技者DB２６２を取得すると供に、登録遊技者DB２６２の情報に基づいて、生体情報DB２２を更新する。より詳細には、データベース管理部２２６は、生体情報DB２２に、新たに配信されてきた登録遊技者DB２６２の情報をコピーして上書きする。
【０１１２】
以上の処理により、遊技店１−１乃至１−ｎのいずれかで、未登録遊技者として所定回数以上未登録遊技者DB２６１に登録されると、登録遊技者DB２６２に追加登録されることにより、遊技店１−１乃至１−ｎのいずれの生体情報認識装置２１の生体情報DB２２にデータベース化して登録されることになるので、複数の遊技店１においても、入口カメラ４０により撮像されると、登録遊技者として来店が報知されることになる。また、登録遊技者DB２６２は、各遊技店１−１乃至１−ｎからの情報に基づいて更新されていくので、複数の店舗における顧客来店記録を生成することが可能となり、顧客来店記録を統合的に管理することが可能となる。
【０１１３】
以上においては、図９のフローチャートにおけるステップＳ１の処理で示されるように、出入口の扉が開くタイミングで撮像される画像における顔画像と、登録遊技者DB２６２と同一のデータベースである生体情報DB２２の顔画像とが照合されて来店したか否かを判定すると供に、登録遊技者ではない場合、未登録遊技者として未登録遊技者DB２６１に登録され、所定回数未登録遊技者として登録されると、登録遊技者DB２６２に登録される例について説明してきたが、画像が撮像されるタイミングは、これに限るものではなく、例えば、遊技台周辺端末３７において紙幣が詰まったことが検出されたり、遊技台３６において、球詰まりやメダル詰まりが検出されるといった異常動作が検出されるタイミングでカメラ３８や店内カメラ４１で撮像するようにしてもよく、このように異常動作時に特定の遊技者が登録されるようにすることで、例えば、異常動作を利用して不正行為が行われているような場合、これを摘発することが可能となる。
【０１１４】
また、以上においては、図９のフローチャートにおけるステップＳ１の処理で示されるように、扉が開くというタイミングで顔画像を抽出する例について説明してきたが、特別に撮像のタイミングを決めることなく、撮像し続ける中で、顔画像が抽出されたら、照合するようにしてもよい。
【０１１５】
以上によれば、各店舗における顧客来店情報のみならず複数の店舗における顧客来店記録の収集と、統合的な管理を実現することが可能となる。
【０１１６】
次に、図１２のフローチャートを参照して、配信先登録処理について説明する。
【０１１７】
ステップＳ１０１において、配布先登録部２４６は、操作部２４５が操作されて、配布先の登録が要求され、配布先となる遊技店（契約者）の情報として、その名称、および所属法人名が入力されたか否かを判定し、遊技店の名称が入力されるまで、同様の処理を繰り返す。そして、ステップＳ１０１において、遊技店の名称が入力されたと判定された場合、ステップＳ１０２において、配布先登録部２４６は、法人コード付与部２４６ａを制御して、操作部２４５により入力された遊技店の名称が、配布先情報DB４に既に登録されている法人に属するか否かを判定する。
【０１１８】
配布先情報DB４には、法人名、法人コード、遊技店の名称、および遊技店コードが対応付けて登録されており、同一の法人に対して、複数の遊技店が登録されることもある。すなわち、法人としては、A会社であり、遊技店名としては、Ａ会社により経営される遊技店Ｂといったように登録されている。そこで、法人コード付与部２４６ａは、配布先情報DB４に登録されている情報を検索して、入力された法人が既に登録されている法人であるか否かを判定する。
【０１１９】
ステップＳ１０２において、登録されていない法人である、すなわち、入力された遊技店の情報が初めて登録される法人であると判定された場合、ステップＳ１０３において、配布先登録部２４６は、法人コード付与部２４６ａを制御して、入力された遊技店に対して新たに法人コードを発生して付与する。
【０１２０】
ステップＳ１０４において、配布先登録部２４６は、遊技店コード付与部２４６ｂを制御して、入力された遊技店の法人コードに対応付けて新たに遊技店コードを発生して付与する。
【０１２１】
一方、ステップＳ１０２において、既に登録されている法人であると判定された場合、ステップＳ１０３の処理がスキップされて、検索された法人コードに対応付けて新たに遊技店コードを発生して付与する。
【０１２２】
ステップＳ１０５において、配布先登録部２４６は、法人名、法人コード、遊技店の名称、および遊技店コードを対応付けて配布先情報DB４に登録し、処理は、ステップＳ１０１に戻り、以降の処理が繰り返される。
【０１２３】
以上の処理により、配布先として、法人名、法人コード、遊技店の名称、および遊技店コードが、配布先情報DB４に登録される。
【０１２４】
次に、図１３，図１４のフローチャートを参照して、削除処理について説明する。尚、図１３のフローチャートは、削除申請端末１９の処理であり、図１４のフローチャートは、生体情報管理センタ２および生体情報認識装置２１の処理である。
【０１２５】
ステップＳ１４１において、画像取得部１４１は、操作部１２１が操作されて、削除申請が要求されたか否かを判定し、削除申請が要求されるまで、同様の処理を繰り返す。例えば、ステップＳ１４１において、顔画像が生体情報データベース２２に登録されている遊技者（申請者）が、自らの顔画像の登録を削除するように削除申請するように、操作部１２１が操作された場合、処理は、ステップＳ１４２に進む。
【０１２６】
ステップＳ１４２において、画像取得部１４１は、表示部１２３を制御して顔画像の撮像を要求する画面を表示させる。
【０１２７】
ステップＳ１４３において、画像取得部１４１は、操作部１２１が操作されて、カメラ１２２により画像が撮像され、その撮像された画像が供給されてきたか否かを判定する。すなわち、ステップＳ１４２の処理により画像の撮像が促された申請者が、操作部１２１を操作して、カメラ１２２により顔近傍の画像を撮像し、カメラ１２２により撮像された画像が供給されてくると、処理は、ステップＳ１４４に進む。
【０１２８】
ステップＳ１４４において、画像取得部１４１は、カメラ１２２より供給されてきた画像を顔画像抽出部１４２に供給する。顔画像抽出部１４２は、画像取得部１４１より供給されてきた画像より顔画像を抽出して判定部１４３に供給する。
【０１２９】
ステップＳ１４５において、判定部１４３は、顔画像抽出部１４２より供給されてきた顔画像より特徴量の抽出を試みて、適切に特徴量が抽出できるか否かを判定することにより、適正な顔画像が撮像できたか否かを判定する。
【０１３０】
ステップＳ１４５において、例えば、適切な顔画像が抽出できなかった、すなわち、撮像の際、顔が正面を向いていなかったり、目を瞑っていたりするなどして、顔画像の特徴量が適正に抽出できる、適正な顔画像を撮像することができなかったと判定された場合、ステップＳ１４６において、判定部１４３は、表示部１２３を制御して、顔画像が適切に撮像されていないことを示す画面と共に、再度画像を撮像して削除申請を継続するか否かを問い合わせる画面を表示する。
【０１３１】
ステップＳ１４７において、画像取得部１４１は、操作部１２１が操作されて、再度画像の撮像が希望されたか否かを判定する。ステップＳ１４７において、操作部が操作されて、再度顔画像の撮像が希望されなかった場合、処理は、ステップＳ１４１に戻る。
【０１３２】
一方、ステップＳ１４７において、再度画像の撮像が希望されて、削除申請が継続されると判定された場合、処理は、ステップＳ１４３に戻る。すなわち、顔画像が抽出されたと判定されるまで、削除申請の継続が希望される限り、ステップＳ１４３乃至Ｓ１４７の処理が繰り返される。
【０１３３】
そして、ステップＳ１４５において、顔画像が抽出されたと判定された場合、ステップＳ１４８において、判定部１４３は、供給されてきた顔画像を削除申請生成部１４４に供給する。削除申請生成部１４４は、削除申請の情報を生成するにあたり、画像圧縮部１５１を制御して、供給されてきた顔画像を所定のアルゴリズムにより圧縮させる。
【０１３４】
ステップＳ１４９において、削除申請生成部１４４は、遊技店コード付加部１５２を制御して、生成する削除申請に、自らが設置されている遊技店１の遊技店コードを付加させる。
【０１３５】
ステップＳ１５０において、圧縮された顔画像および遊技店コードからなる顔画像の削除申請を生成し、送受信部１４５に供給する。
【０１３６】
ステップＳ１５１において、送受信部１４５は、供給されてきた削除申請を生体情報管理センタ２に送信する。
【０１３７】
ステップＳ１５２において、送受信部１４５は、削除申請が正しく送信されたか否かを判定し、正しく送信されていない場合、送信が失敗したものとみなし、ステップＳ１５３において、送信失敗が所定回数以内であるか否かを判定する。
【０１３８】
ステップＳ１５３において、例えば、送信失敗回数が、所定回数以内であると判定された場合、処理は、ステップＳ１５１に戻る。すなわち、送信失敗回数が、所定回数以内である限り、ステップＳ１５１乃至Ｓ１５３の処理が繰り返されて、削除申請の送信が試される。
【０１３９】
そして、ステップＳ１５３において、所定回数以内ではないと判定された場合、すなわち、送信失敗回数が所定回数以上になったとみなされた場合、ステップＳ１５４において、送受信部１４５は、表示部１２３を制御して、異常が発生して削除申請が行えないことを示す画面を表示させ、処理は、ステップＳ１４１に戻る。
【０１４０】
一方、ステップＳ１５２において、削除申請が送信されたとみなされると、処理は、ステップＳ１５５に進む。
【０１４１】
ここで、ステップＳ１６１（図１４）において、生体情報管理センタ２における削除依頼部２４４の削除申請取得部２５１は、削除申請が送信されてきたか否かを判定し、送信されてきたと判定されるまで、その処理を繰り返す。
【０１４２】
そして、ステップＳ１６１において、例えば、ステップＳ１５１の処理により、削除申請が送信されると、削除申請が送信されてきたと判定され、処理は、ステップＳ１６２に進む。
【０１４３】
ステップＳ１６２において、削除申請取得部２５１は、送信されてきた削除申請を取得すると、削除申請に含まれている、圧縮された状態の顔画像を抽出し、伸張部２５２を制御して、圧縮された顔画像を伸張させ、照合部２５３に供給する。
【０１４４】
ステップＳ１６３において、照合部２５３の特徴量抽出部２５３ａは、供給された顔画像より顔画像を識別するための特徴量を抽出し、抽出した特徴量の情報を類似度計算部２５３ｂに供給する。
【０１４５】
ステップＳ１６４において、類似度計算部２５３ｂは、特徴量抽出部２５３ａより供給された特徴量に基づいて、登録遊技者DB２６２に登録された各顔画像における特徴量とを比較して、各顔画像との類似度を計算し、類似度判定部２５３ｃに供給する。
【０１４６】
ステップＳ１６５において、類似度判定部２５３ｃは、各顔画像との類似度のうち、最も大きい値となる類似度を抽出し、さらに、所定の閾値よりも大きいか否かを判定する。ステップＳ１６５において、各顔画像との類似度のうち、最も大きい値となる類似度が、所定の閾値よりも大きいと判定された場合、すなわち、削除申請の申請者の顔画像が登録遊技者DB２６２に登録されていると判定された場合、ステップＳ１６６において、照合部２５３は、登録遊技者DB２６２において顔画像に対応付けて登録されている配布先を示す情報を読み出し、ステップＳ１６７において、その読み出された配布先の情報が配布先情報DB４に含まれているか否かを判定する。
【０１４７】
ステップＳ１６７において、登録遊技者DB２６２に登録されているとみなされた顔画像に対応付けられた配布先を示す情報が含まれているとみなされた場合、すなわち、登録遊技者DB２６２に配布先の情報が登録されていて、かつ、その登録遊技者DB２６２が配布されていることを示す配布先情報が配布先情報DB４において確認された場合、ステップＳ１６８において、削除依頼作成部２５４は、削除申請者の顔画像を識別するIDを含む登録削除依頼情報を作成し、削除依頼送信部２５５に供給する。
【０１４８】
ステップＳ１６９において、削除依頼送信部２５５は、登録遊技者DB２６２に登録されていた申請者の顔画像に対応付けて登録されていた配布先情報に含まれている全ての遊技店１に対して、削除依頼情報を送信する。
【０１４９】
これを受けて、ステップＳ１８１において、遊技店１の生体情報管理装置２１のデータベース管理部２２６の削除部２２６ｂは、削除依頼情報が生体情報管理センタより送信されてきたか否かを判定し、送信されてきたと判定されるまで、その処理が繰り返される。
【０１５０】
ステップＳ１８１において、例えば、ステップＳ１６９の処理により、削除依頼情報が送信されてきた場合、処理は、ステップＳ１８２に進み、削除部２２６ｂは、送信されてきた削除依頼情報を取得し、削除依頼情報に含まれている顔画像を識別するID、すなわち、削除申請を行った申請者の顔画像を識別するIDを抽出すると共に、そのIDに基づいて、生体情報DB２２に登録されている顔画像を検索し、検索された顔画像を削除する。
【０１５１】
ステップＳ１８３において、削除部２２６ｂは、削除依頼情報に基づいて、該当する申請者の顔画像を生体情報DB２２により削除したことを示す通知を生体情報管理センタ２に送信する。
【０１５２】
ステップＳ１７０において、削除依頼送信部２５５は、削除依頼情報を送信した遊技店１の生体情報認識装置２１より削除完了の通知が送信されてきたか否かを判定し、送信されてくるまで、その処理を繰り返す。
【０１５３】
ステップＳ１７０において、例えば、ステップＳ１８３の処理により、削除の完了を示す通知が送信されてきた場合、ステップＳ１７１において、削除依頼送信部２５５は、DB更新部２４２に削除依頼情報を送信し、生体情報管理DB３の登録遊技者DB２６２の削除を依頼する。これに応じて、DB更新部２４２は、生体情報管理DB３の登録遊技者DB２６２のうち、該当する申請者の顔画像を、顔画像を識別するIDに基づいて検索して、削除する。
【０１５４】
ステップＳ１７２において、処理結果通知部２５６は、削除申請を送信してきた遊技店１の削除申請端末１９に対して、削除完了の確認通知を送信する。
【０１５５】
一方、ステップＳ１６７において、配布先情報が存在しないと判定された場合、すなわち、削除申請のあった顔画像は存在するが、配布されていないと判定された場合、ステップＳ１６８乃至Ｓ１７０の処理がスキップされる。すなわち、いずれの遊技店１における生体情報認識装置２１にも申請者の顔画像は配信されていないので、削除依頼情報を作成して、削除を依頼する必要がなくなるため、ステップＳ１７２において、生体情報管理DB３における登録遊技者DB２６２より申請者の顔画像を削除するのみでよいことになる。
【０１５６】
また、ステップＳ１６５において、類似度の最も大きいものが、所定の閾値を超えていないと判定された場合、すなわち、削除申請のあった顔画像が存在しないと判定された場合、ステップＳ１７３において、処理結果通知部２５６は、申請者の顔画像に該当する顔画像が登録遊技者DB２６２に登録されておらず、いずれの遊技店１の生体情報DB２２にも配布されていないので、該当者がいないことを示す確認通知を、削除申請を送信してきた削除申請端末１９に送信する。
【０１５７】
ステップＳ１５５（図１３）において、送受信部１４５は、確認通知が生体情報管理センタ２より送信されてきたか否かを判定し、送信されてきたと判定されるまで、その処理を繰り返す。例えば、ステップＳ１７２またはＳ１７３の処理により、確認通知が送信されてきた場合、ステップＳ１５６において、送受信部１４５は、確認通知を受信し、確認通知の内容を表示部１２３を制御して表示する。すなわち、ステップＳ１７２による確認通知の場合、削除申請のあった申請者の顔画像の削除が完了したことを示す画面を表示させ、ステップＳ１７３による確認通知の場合、削除申請のあった申請者の顔画像に該当する顔画像は登録されていないことを示す画面を表示させる。
【０１５８】
以上の処理により、登録遊技者DB２６２に登録されて、各遊技店１に配信され、各遊技店１の生体情報DB２２に登録されていた顔画像は、一括して削除させることが可能となる。尚、以上においては、顔画像と、その関連情報のみを削除する例について説明してきたが、顔画像を含む個人情報であれば、その情報の形態はどのようなものであってもよく、同様の処理により一括して削除することが可能となる。
【０１５９】
本発明によれば、複数の店舗に配信された顧客顔画像情報を一括して確実に削除することが可能となる。
【０１６０】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１６１】
図１５は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１６２】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１６３】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１６４】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１６５】
また、本明細書において、システムとは、複数の装置により構成される装置全体を表すものである。
【図面の簡単な説明】
【０１６６】
【図１】本発明を適用した監視システムの一実施の形態の構成を示す図である。
【図２】図１の入口カメラ、店内カメラおよび削除申請端末の設置例を示す図である。
【図３】図１の削除申請端末を説明する外観斜視図である。
【図４】図１の削除申請端末の構成例を説明するブロック図である。
【図５】図１の画像処理ユニットの構成例を説明する図である。
【図６】図１の生体情報認識装置の構成例を説明する図である。
【図７】図１の生体情報管理センタおよび生体情報管理DBの構成例を説明する図である。
【図８】図１の携帯端末の構成例を説明する図である。
【図９】登録遊技者来店監視処理を説明するフローチャートである。
【図１０】報知画像の表示例を説明する図である。
【図１１】登録遊技者DB更新処理を説明するフローチャートである。
【図１２】配信先登録処理を説明するフローチャートである。
【図１３】削除処理を説明するフローチャートである。
【図１４】削除処理を説明するフローチャートである。
【図１５】パーソナルコンピュータの構成例を説明する図である。
【符号の説明】
【０１６７】
１，１−１乃至１−ｎ  遊技店
２  生体情報管理センタ
３  生体情報管理データベース
４  第３者遊技店管理センタ
５  第３者遊技店管理データベース
６  生体情報管理バス
７  第３者遊技店管理バス
８，９  公衆通信回線網
１９  削除申請端末
２０  携帯端末
２１  生体情報認識装置
２２  生体情報データベース
２４  遊技店管理装置
２６  遊技台管理データベース
２７  媒体貸出管理装置
２９  媒体貸出管理データベース
３０  遊技店管理情報バス
３１  生体情報バス
３３  精算機
３４  貸出機
３５  計数機
３６，３６−１乃至３６−ｍ  遊技台
３７，３７−１乃至３７−ｍ  遊技台周辺端末
３８，３８−１乃至３８−ｍ  カメラ
３９，３９−１乃至３９−（ｍ＋ｐ＋ｑ）  画像処理ユニット
４０，４０−１乃至４０−ｐ  入口カメラ
４１，４１−１乃至４１−ｑ  店内カメラ
【図１】
2008040829.tif 000003
【図２】
2008040829.tif 000004
【図３】
2008040829.tif 000005
【図４】
2008040829.tif 000006
【図５】
2008040829.tif 000007
【図６】
2008040829.tif 000008
【図７】
2008040829.tif 000009
【図８】
2008040829.tif 000010
【図９】
2008040829.tif 000011
【図１０】
2008040829.tif 000012
【図１１】
2008040829.tif 000013
【図１２】
2008040829.tif 000014
【図１３】
2008040829.tif 000015
【図１４】
2008040829.tif 000016
【図１５】
2008040829.tif 000017